(57)【要約】  【課題】  信号振幅によらずに光ディスクの種類の判別を簡単な処理で行い、ディスク判別精度を高めることができる光ディスク記録再生装置を提供する。  【解決手段】  再生動作開始前に光ディスク１の回転を停止させ、光ピックアップ３の対物レンズ３４を光ディスク１の記録面に対して垂直方向に所定距離だけ強制的に移動させる。この対物レンズ３４が移動しているときに、光ピックアップ３からＤＶＤ用レーザ光が光ディスク１に照射され、反射されたサブビーム反射光の全加算信号は、サンプリングされ、その形状は全加算信号形状測定手段７１により測定される。そして、ディスク判別手段７２においては、その測定された全加算信号の形状が、レーザ光の焦点軸に対して、非対称であれば光ディスク１はＣＤ系の光ディスクであり、対称または略対称であれば光ディスク１はＤＶＤ系の光ディスクであると判別される。【選択図】      図１
2005346809.tif 000002
【特許請求の範囲】
【請求項１】
ＣＤ系の光ディスクに対応するＣＤ用レーザ光と、ＤＶＤ系の光ディスクに対応するＤ
ＶＤ用レーザ光とを出射することが可能で、当該光ディスクに照射されたレーザ光のメイ
ンビームの反射光と当該光ディスクに照射されたレーザ光のサブビームの反射光とを受光
してＲＦ信号として出力する光ピックアップを備え、光ディスクに対して情報の記録／再
生を行う光ディスク記録再生装置において、再生動作開始前あるいは記録動作開始前に当
該光ディスクの回転を一時的に停止させる一時停止手段と、該一時停止手段により回転が
一時的に停止した当該光ディスクの記録面に対して垂直方向に所定距離だけ前記光ピック
アップの対物レンズを強制的に移動させる制御をフォーカス用アクチュエータに対して行
うレンズ強制移動制御手段と、該レンズ強制移動制御手段の制御により前記対物レンズが
当該光ディスクの記録面に対して垂直方向に移動しているときに前記光ピックアップから
ＤＶＤ用レーザ光を当該光ディスクに照射して当該光ディスクから反射されたサブビーム
反射光の全加算信号をサンプリングして全加算信号の形状を測定する全加算信号形状測定
手段と、該全加算信号形状測定手段により測定された全加算信号の形状がレーザ光の焦点
軸に対して非対称であれば、装填されている当該光ディスクをＣＤ系の光ディスクである
と判別し、前記測定された全加算信号の形状がレーザ光の焦点軸に対して対称または略対
称であれば、装填されている当該光ディスクをＤＶＤ系の光ディスクであると判別するデ
ィスク判別手段とを備えたことを特徴とする光ディスク記録再生装置。
【請求項２】
種類が異なる第１の光ディスクと第２の光ディスクとにそれぞれ対応した第１のレーザ
光と第２のレーザ光を出射することが可能で、当該光ディスクに照射されたレーザ光のメ
インビームの反射光と当該光ディスクに照射されたレーザ光のサブビームの反射光とを受
光してＲＦ信号として出力する光ピックアップを備え、光ディスクに対して情報の記録／
再生を行う光ディスク記録再生装置において、当該光ディスクに対して垂直方向に焦点を
移動させながら前記第１のレーザ光または前記第２のレーザ光を当該光ディスクに照射し
たときに得られるサブビーム反射光の全加算信号の形状を測定して、その形状の違いによ
り当該光ディスクの種類を判別する信号形状測定ディスク判別部を備えたことを特徴とす
る光ディスク記録再生装置。
【請求項３】
当該光ディスクに照射したときに得られるサブビーム反射光とは、再生動作開始前ある
いは記録動作開始前に当該光ディスクの回転を一時的に停止させた状態で、当該光ディス
クの記録面に対して垂直方向に所定距離だけ光ピックアップの対物レンズを移動させてい
るときに得られるサブビーム反射光であることを特徴とする請求項２に記載の光ディスク
記録再生装置。
【請求項４】
再生動作開始前あるいは記録動作開始前に当該光ディスクの回転を一時的に停止させる
一時停止手段と、該一時停止手段により回転が一時的に停止した当該光ディスクの記録面
に対して垂直方向に所定距離だけ前記光ピックアップの対物レンズを強制的に移動させる
制御をフォーカス用アクチュエータに対して行うレンズ強制移動制御手段とを備えたこと
を特徴とする請求項３に記載の光ディスク記録再生装置。
【請求項５】
信号形状測定ディスク判別部は、レンズ強制移動制御手段の制御により対物レンズが当
該光ディスクの記録面に対して垂直方向に移動しているときに光ピックアップから第１の
レーザ光または第２のレーザ光を当該光ディスクに照射して当該光ディスクから反射され
たサブビーム反射光の全加算信号をサンプリングして全加算信号の形状を測定する全加算
信号形状測定手段と、該全加算信号形状測定手段により測定された全加算信号の形状がレ
ーザ光の焦点軸に対して非対称であるか対称または略対称であるかを検出することにより
当該光ディスクが第１の光ディスクであるか第２の光ディスクであるかの判別を行うディ
スク判別手段とを有することを特徴とする請求項２に記載の光ディスク記録再生装置。
【請求項６】
第１の光ディスクがＣＤ系の光ディスクであり、第２の光ディスクがＤＶＤ系の光ディ
スクであった場合、前記ディスク判別手段においては、前記測定された全加算信号の形状
がレーザ光の焦点軸に対して非対称であれば、装填されている当該光ディスクをＣＤ系の
光ディスクであると判別し、前記測定された全加算信号の形状がレーザ光の焦点軸に対し
て対称または略対称であれば、装填されている当該光ディスクをＤＶＤ系の光ディスクで
あると判別することを特徴とする請求項５に記載の光ディスク記録再生装置。
【請求項７】
前記第１の光ディスクはＣＤ系の光ディスクで、前記第２の光ディスクはＤＶＤ系の光
ディスクであり、前記第１のレーザ光はＣＤ用レーザ光で、前記第２のレーザ光はＤＶＤ
用のレーザ光であることを特徴とする請求項２に記載の光ディスク記録再生装置。
【発明の詳細な説明】
【技術分野】
【０００１】
本発明は、光ディスクに対して情報の記録／再生を行う光ディスク記録再生装置に関し
、特に、ＣＤ（コンパクト・ディスク）やＤＶＤ（デジタル・バーサタイル・ディスク）
など、光ディスクの種類を判別する機能を有する光ディスク記録再生装置に関する。
【背景技術】
【０００２】
従来から、ＣＤやＤＶＤなど、複数種類の光ディスクを再生したり、記録したりする光
ディスク記録再生装置が知られている。このような光ディスク記録再生装置は、装填され
た光ディスクの種類に応じて、当該光ディスクからのデータの読み取り時の制御や、読み
取ったデータの処理にかかる制御など、装置の動作を切り換える必要があるため、装填さ
れた光ディスクの種類を判別するディスク判別機能を有している。
【０００３】
このようなディスク判別機能を有する従来装置として、例えば特許文献１の従来技術で
は、装填された光ディスクの記録面にピックアップヘッドから照射されたレーザ光の焦点
を合わせたフォーカスオン状態で、複数のトラックを横切るようにレーザ光の照射位置を
変化させ、このとき検出されたＲＦ信号からエンベロープ信号を検出し、ここで検出した
エンベロープ信号の振幅レベルの大きさから、装填された光ディスクがＣＤであるかＤＶ
Ｄであるかを判別している。
【０００４】
また、特許文献２の従来技術では、反射率の差が小さく、信号のレベルでは正確な判別
が行えない場合に、フォーカスをかけるだけでディスクのヘッダ部の有無とヘッダ部の数
を観測し、装着されているディスクの種別を判別している。
【０００５】
また、特許文献３の従来技術では、再生対象の光ディスクに対して、その記録面にフォ
ーカスサーボを施して得られたフォーカスエラー信号と全加算信号との信号レベルに基づ
いて、ＣＤ系かＤＶＤ系かの種類判別を行い、ＣＤ系と判別した場合に、さらに光ディス
ク上の記録情報を再生し、その再生信号に対して任意の一定レベルでスライスして得られ
たオフトラック信号のＨｉｇｈ期間に基づいて、規格品とはピット形状や反射率が略同一
でトラックピッチが異なる規格外の光ディスクに対する判別も可能にしている。
【０００６】
また、特許文献４の従来技術では、フォーカスサーボ中に第１と第２の光学手段でそれ
ぞれ得られる光ヘッドからの出力信号である第１と第２の検出信号の振幅と周波数成分を
測定して、それぞれ比較することによって光記録媒体の種類を判別している。
【特許文献１】実登３０９０１２６号公報
【特許文献２】特開２００１−３４９４１号公報
【特許文献３】特開２００３−３０８６３号公報
【特許文献４】特開２００２−１８３９７９号公報
【発明の開示】
【発明が解決しようとする課題】
【０００７】
しかしながら、上述したような従来技術では、ＲＦ信号からエンベロープ信号を検出し
、ここで検出したエンベロープ信号の振幅レベルの大きさから、装填された光ディスクが
ＣＤであるかＤＶＤであるかを判別する構成、記録面にフォーカスサーボを施して得られ
たフォーカスエラー信号と全加算信号との信号レベルに基づいて、ＣＤ系かＤＶＤ系かの
種類判別を行う構成、フォーカスサーボ中に第１と第２の光学手段でそれぞれ得られる光
ヘッドからの出力信号である第１と第２の検出信号の振幅と周波数成分を測定して、それ
ぞれ比較することによって光記録媒体の種類を判別する構成が開示されているが、これら
の構成は全て信号の振幅によって光ディスクの種類の判別を行っているので、信号の振幅
の差が判別可能な範囲を下回った場合、判別精度が低下して、光ディスクの種類の判別が
難しくなるという課題が生じる。なお、信号のレベルでは正確な判別が行えない場合に、
フォーカスをかけるだけでディスクのヘッダ部の有無とヘッダ部の数を観測し、装着され
ているディスクの種別を判別する構成（特許文献２）では、ディスクのヘッダ部の有無と
ヘッダ部の数を観測するための処理が複雑化する傾向にある。
【０００８】
本発明は、上記のような課題を解決するためになされたもので、信号振幅によらずに光
ディスクの種類の判別を簡単な処理で行い、ディスク判別精度を高めることができる光デ
ィスク記録再生装置を提供することを目的とする。
【課題を解決するための手段】
【０００９】
上記目的を達成するために、請求項１の発明は、ＣＤ系の光ディスクに対応するＣＤ用
レーザ光と、ＤＶＤ系の光ディスクに対応するＤＶＤ用レーザ光とを出射することが可能
で、当該光ディスクに照射されたレーザ光のメインビームの反射光と当該光ディスクに照
射されたレーザ光のサブビームの反射光とを受光してＲＦ信号として出力する光ピックア
ップを備え、光ディスクに対して情報の記録／再生を行う光ディスク記録再生装置におい
て、再生動作開始前あるいは記録動作開始前に当該光ディスクの回転を一時的に停止させ
る一時停止手段と、該一時停止手段により回転が一時的に停止した当該光ディスクの記録
面に対して垂直方向に所定距離だけ前記光ピックアップの対物レンズを強制的に移動させ
る制御をフォーカス用アクチュエータに対して行うレンズ強制移動制御手段と、該レンズ
強制移動制御手段の制御により前記対物レンズが当該光ディスクの記録面に対して垂直方
向に移動しているときに前記光ピックアップからＤＶＤ用レーザ光を当該光ディスクに照
射して当該光ディスクから反射されたサブビーム反射光の全加算信号をサンプリングして
全加算信号の形状を測定する全加算信号形状測定手段と、該全加算信号形状測定手段によ
り測定された全加算信号の形状がレーザ光の焦点軸に対して非対称であれば、装填されて
いる当該光ディスクをＣＤ系の光ディスクであると判別し、前記測定された全加算信号の
形状がレーザ光の焦点軸に対して対称または略対称であれば、装填されている当該光ディ
スクをＤＶＤ系の光ディスクであると判別するディスク判別手段とを備えたことを特徴と
する光ディスク記録再生装置を提供する。
【００１０】
この構成において、再生動作開始前あるいは記録動作開始前に、当該光ディスクの回転
が一時停止手段により一時的に停止され、フォーカス用アクチュエータがレンズ強制移動
制御手段により制御され、光ピックアップの対物レンズが当該光ディスクの記録面に対し
て垂直方向に所定距離だけ強制的に移動する。対物レンズが当該光ディスクの記録面に対
して垂直方向に移動しているときに、光ピックアップからＤＶＤ用レーザ光が当該光ディ
スクに照射され、当該光ディスクから反射されたサブビーム反射光の全加算信号は、サン
プリングされ、その形状は全加算信号形状測定手段により測定される。そして、ディスク
判別手段においては、その測定された全加算信号の形状が、レーザ光の焦点軸に対して、
非対称であれば当該光ディスクはＣＤ系の光ディスクであると判別され、対称または略対
称であれば当該光ディスクはＤＶＤ系の光ディスクであると判別される。
【００１１】
この構成によれば、信号振幅によらずに、サブビーム反射光の全加算信号の形状により
光ディスクの種類の判別を行うので、信号振幅の差が判別可能な範囲を下回った場合でも
、光ディスクの種類の判別が容易に可能となり、ディスク判別精度を高めることができる
。
【００１２】
請求項２の発明は、種類が異なる第１の光ディスクと第２の光ディスクとにそれぞれ対
応した第１のレーザ光と第２のレーザ光を出射することが可能で、当該光ディスクに照射
されたレーザ光のメインビームの反射光と当該光ディスクに照射されたレーザ光のサブビ
ームの反射光とを受光してＲＦ信号として出力する光ピックアップを備え、光ディスクに
対して情報の記録／再生を行う光ディスク記録再生装置において、当該光ディスクに対し
て垂直方向に焦点を移動させながら前記第１のレーザ光または前記第２のレーザ光を当該
光ディスクに照射したときに得られるサブビーム反射光の全加算信号の形状を測定して、
その形状の違いにより当該光ディスクの種類を判別する信号形状測定ディスク判別部を備
えたことを特徴とする光ディスク記録再生装置を提供する。
【００１３】
この構成において、例えば、第２のレーザ光の焦点を当該光ディスクの垂直方向に対し
て移動させながら、第２のレーザ光を当該光ディスクに照射すると、このときのサブビー
ム反射光の全加算信号の形状が取り出せるので、その全加算信号の形状を信号形状測定デ
ィスク判別部により測定することにより、装填されている当該光ディスクが第１の光ディ
スクであるか第２の光ディスクであるかを判別することが可能になる。
【００１４】
この構成によれば、信号振幅によらずに、サブビーム反射光の全加算信号の形状により
光ディスクの種類の判別を行うので、信号振幅の差が判別可能な範囲を下回った場合でも
、光ディスクの種類の判別が容易に可能となり、ディスク判別精度を高めることができる
。
【００１５】
請求項３の発明では、請求項２の発明において、当該光ディスクに照射したときに得ら
れるサブビーム反射光とは、再生動作開始前あるいは記録動作開始前に当該光ディスクの
回転を一時的に停止させた状態で、当該光ディスクの記録面に対して垂直方向に所定距離
だけ光ピックアップの対物レンズを移動させているときに得られるサブビーム反射光であ
るので、このサブビーム反射光の形状は光ディスクの種類によって異なった形状になり、
ディスク判別を可能にする。
【００１６】
請求項４の発明では、請求項３の発明において、再生動作開始前あるいは記録動作開始
前に当該光ディスクの回転を一時的に停止させる一時停止手段と、該一時停止手段により
回転が一時的に停止した当該光ディスクの記録面に対して垂直方向に所定距離だけ光ピッ
クアップの対物レンズを強制的に移動させる制御をフォーカス用アクチュエータに対して
行うレンズ強制移動制御手段とを備えたので、当該光ディスクの回転を一時的に停止した
状態で、光ピックアップの対物レンズを当該光ディスクの記録面に対して垂直方向に強制
的に移動させることが可能になる。
【００１７】
請求項５の発明では、請求項２に発明において、信号形状測定ディスク判別部は、レン
ズ強制移動制御手段の制御により対物レンズが当該光ディスクの記録面に対して垂直方向
に移動しているときに光ピックアップから第１のレーザ光または第２のレーザ光を当該光
ディスクに照射して当該光ディスクから反射されたサブビーム反射光の全加算信号をサン
プリングして全加算信号の形状を測定する全加算信号形状測定手段と、該全加算信号形状
測定手段により測定された全加算信号の形状がレーザ光の焦点軸に対して非対称であるか
対称または略対称であるかを検出することにより当該光ディスクが第１の光ディスクであ
るか第２の光ディスクであるかの判別を行うディスク判別手段とを有するので、サブビー
ム反射光の全加算信号の形状の測定、および当該光ディスクの種類の判別が容易に可能に
なる。
【００１８】
請求項６の発明では、請求項５の発明において、第１の光ディスクがＣＤ系の光ディス
クであり、第２の光ディスクがＤＶＤ系の光ディスクであった場合、前記ディスク判別手
段においては、前記測定された全加算信号の形状がレーザ光の焦点軸に対して非対称であ
れば、装填されている当該光ディスクをＣＤ系の光ディスクであると判別し、前記測定さ
れた全加算信号の形状がレーザ光の焦点軸に対して対称または略対称であれば、装填され
ている当該光ディスクをＤＶＤ系の光ディスクであると判別するので、当該光ディスクが
ＣＤ系であるかＤＶＤ系であるかの判別を、容易に、しかも確実に行うことが可能になる
。
【００１９】
請求項７の発明では、請求項２の発明において、第１の光ディスクはＣＤ系の光ディス
クで、第２の光ディスクはＤＶＤ系の光ディスクであり、第１のレーザ光はＣＤ用レーザ
光で、第２のレーザ光はＤＶＤ用のレーザ光であるので、ＣＤ用レーザ光またはＤＶＤ用
レーザ光を用いてＣＤ系の光ディスクとＤＶＤ系の光ディスクの判別が容易に可能になる
。
【発明の効果】
【００２０】
以上のように本発明によれば、ＣＤ系の光ディスクに対応するＣＤ用レーザ光と、ＤＶ
Ｄ系の光ディスクに対応するＤＶＤ用レーザ光とを出射することが可能で、当該光ディス
クに照射されたレーザ光のメインビームの反射光と当該光ディスクに照射されたレーザ光
のサブビームの反射光とを受光してＲＦ信号として出力する光ピックアップを備え、光デ
ィスクに対して情報の記録／再生を行う光ディスク記録再生装置において、再生動作開始
前あるいは記録動作開始前に当該光ディスクの回転を一時的に停止させる一時停止手段と
、該一時停止手段により回転が一時的に停止した当該光ディスクの記録面に対して垂直方
向に所定距離だけ前記光ピックアップの対物レンズを強制的に移動させる制御をフォーカ
ス用アクチュエータに対して行うレンズ強制移動制御手段と、該レンズ強制移動制御手段
の制御により前記対物レンズが当該光ディスクの記録面に対して垂直方向に移動している
ときに前記光ピックアップからＣＤ用レーザ光またはＤＶＤ用レーザ光を当該光ディスク
に照射して当該光ディスクから反射されたサブビーム反射光の全加算信号をサンプリング
して全加算信号の形状を測定する全加算信号形状測定手段と、該全加算信号形状測定手段
により測定された全加算信号の形状がレーザ光の焦点軸に対して非対称であれば、装填さ
れている当該光ディスクをＣＤ系の光ディスクであると判別し、前記測定された全加算信
号の形状がレーザ光の焦点軸に対して対称または略対称であれば、装填されている当該光
ディスクをＤＶＤ系の光ディスクであると判別するディスク判別手段とを備えたので、信
号振幅によらずに、サブビーム反射光の全加算信号の形状により光ディスクの種類の判別
を行うことができ、信号振幅の差が判別可能な範囲を下回った場合でも、光ディスクの種
類の判別が容易に可能となり、したがって、ディスク判別を確実に行うことができ、判別
精度が向上する。
【００２１】
また、本発明によれば、種類が異なる第１の光ディスクと第２の光ディスクとにそれぞ
れ対応した第１のレーザ光と第２のレーザ光を出射することが可能で、当該光ディスクに
照射されたレーザ光のメインビームの反射光と当該光ディスクに照射されたレーザ光のサ
ブビームの反射光とを受光してＲＦ信号として出力する光ピックアップを備え、光ディス
クに対して情報の記録／再生を行う光ディスク記録再生装置において、当該光ディスクに
対して垂直方向に焦点を移動させながら前記第１のレーザ光または前記第２のレーザ光を
当該光ディスクに照射したときに得られるサブビーム反射光の全加算信号の形状を測定し
て、その形状の違いにより当該光ディスクの種類を判別する信号形状測定ディスク判別部
を備えたので、信号振幅によらずに、サブビーム反射光の全加算信号の形状により光ディ
スクの種類の判別を行うことができ、信号振幅の差が判別可能な範囲を下回った場合でも
、光ディスクの種類の判別が容易に可能となり、したがって、ディスク判別を確実に行う
ことができ、判別精度が向上する。
【発明を実施するための最良の形態】
【００２２】
以下、添付図面を参照しつつ、本発明の実施の形態について説明する。図１は本発明の
一実施形態に係る光ディスク記録再生装置の構成を示すブロック図である。
【００２３】
この光ディスク記録再生装置は、装填された光ディスク１を回転させるスピンドルモー
タ２と、光ディスク１に情報を光学的に書き込んだり光ディスク１に記録された情報を光
学的に読み出したりする光ピックアップ３と、この光ピックアップ３を光ディスク１の半
径方向に移動させるスレッド４と、光ピックアップ３から出力されたＲＦ信号を増幅して
出力すると共にＲＦ信号に所定の演算を施してトラッキングエラー信号とフォーカスエラ
ー信号とサブビーム反射光の全加算信号とを生成するＲＦアンプ５と、ＲＦアンプ５から
のＲＦ信号を処理して再生信号を生成して出力する再生部６と、ＲＦアンプ５から出力さ
れたサブビーム反射光の全加算信号の形状を測定して該形状の違いにより光ディスク１の
種類を判別する信号形状測定ディスク判別部７と、スピンドルモータ２および光ピックア
ップ３をサーボ制御するサーボ制御部８と、装置全体を制御するシステムコントローラ９
とを備えている。
【００２４】
光ピックアップ３は、波長が例えば７８０ｎｍのＣＤ用レーザ光を出射するＣＤ用レー
ザ素子３１、波長が例えば６５０ｎｍのＤＶＤ用レーザ光を出射するＤＶＤ用レーザ素子
３２、ＣＤ用レーザ素子３１から出射されたＣＤ用レーザ光を光ディスク１上の記録面の
目標とするトラックに焦点を合わすためのＣＤ用対物レンズ３３、ＤＶＤ用レーザ素子３
２から出射されたＤＶＤ用レーザ光を光ディスク１上の記録面の目標とするトラックに焦
点を合わすためのＤＶＤ用対物レンズ３４、ＣＤ用対物レンズ３３またはＤＶＤ用対物レ
ンズ３４を光ディスク１の記録面に対して水平方向に微小移動させトラッキングサーボを
行うトラッキング用アクチュエータ３５、ＣＤ用対物レンズ３３またはＤＶＤ用対物レン
ズ３４を光ディスク１の記録面に対して垂直方向に微小移動させフォーカスサーボを行う
フォーカス用アクチュエータ３６、および光ディスク１の記録面からの反射光（戻り光）
を受光して電気信号に変換するフォトディテクタ３７などを備えている。
【００２５】
システムコントローラ９は、再生動作開始前あるいは記録動作開始前に当該光ディスク
１の回転を一時的に停止させる一時停止手段９１と、該一時停止手段９１により回転が一
時的に停止した当該光ディスク１の記録面に対して垂直方向に所定距離だけＤＶＤ用対物
レンズ３４を強制的に移動させる制御をフォーカス用アクチュエータ３６に対して行うレ
ンズ強制移動制御手段９２とを備えている。
【００２６】
信号形状測定ディスク判定部７は、レンズ強制移動制御手段９２の制御によりＤＶＤ用
対物レンズ３４が当該光ディスク１の記録面に対して垂直方向に移動しているときに光ピ
ックアップ３からＤＶＤ用レーザ光を当該光ディスク１に照射して当該光ディスク１から
反射されたサブビーム反射光の全加算信号をサンプリングして全加算信号の形状を測定す
る全加算信号形状測定手段７１と、該全加算信号形状測定手段７１により測定されたサブ
ビーム反射光の全加算信号の形状に基づいて装填されている当該光ディスク１がＣＤであ
るかＤＶＤであるかの判別を行うディスク判別手段７２とを有する。
【００２７】
ところで、従来から光ディスク記録再生装置においては、光ピックアップから出射され
たレーザビームを光ディスク上に形成されたトラックに正確に追従させるための制御方式
としてトラッキングサーボ方式が採用されている。このトラッキングサーボ方式としては
、ＤＰＰ（Differential Push Pull：差動プッシュプル）法が知られている。このＤＰＰ
法は、１つのメインビームと２つのサブビームとからそれぞれ得られる各受光素子の出力
信号を演算することにより、トラッキングエラー信号を生成するものである。
【００２８】
詳しくは、ＤＰＰ法は、光ピックアップのレーザ光源から出射されたレーザビームの往
路中に回折手段を配設し、光ディスク上に１つの０次回折光（メインビーム）と２つの１
次回折光（サブビーム）の３つのビーム光による各スポットを形成し、これらの反射光を
それぞれのフォトディテクタにより受光して、メインビームによるメインスポットを信号
の書き込みまたは読み取りに用い、サブビームによるサブスポットをトラッキングエラー
信号の検出用に用いる方式である。
【００２９】
前記メインスポットを受光するメインフォトディテクタは縦横の４つに分割され、前記
サブスポットを受光するサブフォトディテクタは左右に分割されている。ここでメインフ
ォトディテクタの分割素子の出力信号をＡ，Ｂ，Ｃ，Ｄとし、一方のサブフォトディテク
タの分割素子の出力信号をＥ，Ｆとし、他方のサブフォトディテクタの分割素子の出力信
号をＧ，Ｈとする（図２参照）。
【００３０】
メインフォトディテクタの出力信号Ａ，Ｂ，Ｃ，Ｄからメインプッシュプル信号（ＭＰ
Ｐ信号）は、下記の（１）式により求めることができる。
【００３１】
ＭＰＰ＝（Ａ＋Ｄ）−（Ｂ＋Ｃ）      ・・・  （１）
一方のサブフォトディテクタの出力信号Ｅ，Ｆからのサブプッシュプル信号（ＳＰＰ１
信号）は、下記の（２）式により求めることができ、他方のサブフォトディテクタの出力
信号Ｇ，Ｈからのサブプッシュプル信号（ＳＰＰ２信号）は、下記の（３）式により求め
ることができる。
【００３２】
ＳＰＰ１＝Ｆ−Ｅ      ・・・    （２）
ＳＰＰ２＝Ｈ−Ｇ      ・・・    （３）
したがって、サブプッシュプル信号（ＳＰＰ信号）としては、下記の（４）式のように
なる。このサブプッシュプル信号（ＳＰＰ信号）は、上述したサブビーム反射光の全加算
信号となる。
【００３３】
ＳＰＰ＝ＳＰＰ１＋ＳＰＰ２＝（Ｆ＋Ｈ）−（Ｅ＋Ｇ）    ・・・    （４）
図３は本実施形態において光ピックアップ内の例えばＤＶＤ用対物レンズ３４が光ディ
スク１の記録面に対して垂直方向に移動する様子を示す図である。図３において、実線で
示すＤＶＤ用対物レンズ３４は、ＤＶＤ用レーザ光が光ディスク１の記録面１ａに焦点が
合う位置にあることを示し、実線で示すＤＶＤ用対物レンズ３４よりも下方に位置して破
線で示すＤＶＤ用対物レンズ３４は、ＤＶＤ用レーザ光が光ディスク１の記録面１ａより
も下方で焦点が合う位置にあることを示し、実線で示すＤＶＤ用対物レンズ３４よりも上
方に位置して破線で示すＤＶＤ用対物レンズ３４は、ＤＶＤ用レーザ光が光ディスク１の
記録面１ａよりも上方で焦点が合う位置にあることを示す。
【００３４】
図４は図３に示すようにＤＶＤ用対物レンズ３４が光ディスク１の記録面に対して垂直
方向に移動したときに得られたＤＶＤ用レーザ光の反射光のうちサブビーム反射光の全加
算信号の形状を示す波形図である。図４において、ラインＬ１はＤＶＤ用対物レンズ３４
からのＤＶＤ用レーザ光の焦点がＹ１からＹ２方向に移動しているときに得られたＣＤに
対するサブビーム反射光の全加算信号の波形（形状）を示し、ラインＬ２はＤＶＤ用対物
レンズ３４からのＤＶＤ用レーザ光の焦点がＹ１からＹ２方向に移動しているときに得ら
れたＤＶＤに対するサブビーム反射光の全加算信号の波形（形状）を示す。
【００３５】
図５はＣＤに対するサブビーム反射光の全加算信号とフォーカスエラー信号との関係を
示す信号波形図である。図５において、ラインＬ３はＣＤに対するサブビーム反射光の全
加算信号の波形（形状）を示し、ラインＬ４はＣＤに対するフォーカスエラー信号の波形
を示す。
【００３６】
図６はＤＶＤに対するサブビーム反射光の全加算信号とフォーカスエラー信号との関係
を示す信号波形図である。図６において、ラインＬ５はＤＶＤに対するサブビーム反射光
の全加算信号の波形（形状）を示し、ラインＬ６はＤＶＤに対するフォーカスエラー信号
の波形を示す。
【００３７】
図７は本実施形態においてディスク判別の動作を説明するためのフローチャートである
。このフローチャートを参照してディスク判別の動作について説明する。
【００３８】
再生動作開始前あるいは記録動作開始前に、システムコントローラ９の一時停止手段９
１は、当該光ディスク１の回転を一時的に停止させる（ステップＳ１）。
当該光ディスク１の回転を停止させているとき、ＤＶＤ用レーザ光を出射させているとき
のサブビーム反射光の全加算信号の振幅が例えば１．５Ｖになるように設定しておく（ス
テップＳ２）。これは、ＤＶＤとＣＤとの違いをはっきりさせ、正確にディスク判別を行
うために設定される。このようにサブビーム反射光の全加算信号の振幅を設定しておくこ
とで、ＣＤでのサブビーム反射光の全加算信号の形状とＤＶＤでのサブビーム反射光の全
加算信号の形状とが異なったものとなる（図４参照）。
【００３９】
この形状が異なる理由は、ＤＶＤのトラック密度はＣＤのトラック密度に比べて高密度
であり、また、ＤＶＤ用レーザ光をＤＶＤに照射すると、戻り光が多いが、ＤＶＤ用レー
ザ光をＣＤに照射すると、ＤＶＤ用レーザ光はＣＤには適していないので、戻り光が少な
い。また、ＤＶＤに対するサブビーム反射光の全加算信号の形状は、焦点軸に対して対称
または略対称になるのは、ＤＶＤ用レーザ光はＤＶＤのトラック密度に適した波長のレー
ザ光であり、ＤＶＤ用レーザ光の焦点がＤＶＤの記録面に対して下方または上方に同じ距
離だけずれても反射光の減衰量が同じになるからである。
【００４０】
また、ＤＶＤ用レーザ光は、ＣＤ用レーザ光に比べてリードパワーが大きく、波長も短
いため、ＤＶＤ用レーザ光を用いることにより、ＤＶＤに対するサブビーム反射光の全加
算信号は対称または略対称の形状になり、ＣＤに対するサブビーム反射光の全加算信号は
非対称の形状になる。ＣＤに対するサブビーム反射光の全加算信号は非対称の形状になる
のは、ＤＶＤ用レーザ光はリードパワーが大きく、波長も短いので、ＣＤの記録面よりも
上側のある点Ｅに焦点が来ると（図４の点Ｅ参照）、トラック密度が粗であるため乱反射
も多くなり、減衰量が多くなるためである。
【００４１】
ステップＳ２の処理の後、システムコントローラ９のレンズ強制移動制御手段９２は、
光ピックアップ３のフォーカス用アクチュエータ３６を制御し、光ピックアップ３のＤＶ
Ｄ用対物レンズ３４を当該光ディスク１の記録面に対して垂直方向に所定距離だけ強制的
に移動させる。ここで、ＤＶＤ用対物レンズ３４が当該光ディスク１の記録面に対して垂
直方向に移動しているときに、光ピックアップ３からＤＶＤ用レーザ光が当該光ディスク
１に照射され、当該光ディスク１から反射されたサブビーム反射光の全加算信号は、信号
形状測定ディスク判別部７の全加算信号形状測定手段７１によりサンプリングされ、各点
における振幅を得て形状が測定される（ステップＳ３）。
【００４２】
そして、信号形状測定ディスク判別部７のディスク判別手段７２においては、サブビー
ム反射光の全加算信号の焦点（フォーカスエラー信号のＳ字が得られる箇所）までの最大
値と、その後、反射量が一定量以下となるまでの最大値を比較し、両者が近い値であれば
、サブビーム反射光の全加算信号の形状が焦点軸に対して略対称であると判定して（ステ
ップＳ４）、現在装填されている光ディスク１がＤＶＤであると判別し（ステップＳ６）
、両者が一定以上の差が生じた場合は、サブビーム反射光の全加算信号の形状が焦点軸に
対して非対称であると判定して（ステップＳ４）、現在装填されている光ディスク１がＣ
Ｄであると判別する（ステップＳ５）。
【００４３】
なお、上記実施形態では、サブビーム反射光の全加算信号の形状を測定するのに、ＤＶ
Ｄ用レーザ光を当該光ディスクに照射したが、これに限らずＣＤ用レーザ光を照射するこ
とも可能であるが、ＤＶＤ用レーザ光の方がＣＤ用レーザ光よりもリードパワーが大きく
、波長も短いので、サブビーム反射光の全加算信号の形状に測定精度が高くなり、ＤＶＤ
用レーザ光を用いる方が好ましい。
【００４４】
以上のように上記実施形態によれば、信号振幅によらずに、サブビーム反射光の全加算
信号の形状により光ディスクの種類の判別を行うので、信号振幅の差が判別可能な範囲を
下回った場合でも、光ディスクの種類の判別が容易に可能となり、ディスク判別精度を高
めることができる。
【図面の簡単な説明】
【００４５】
【図１】本発明の一実施形態に係る光ディスク記録再生装置の構成を示すブロック図である。
【図２】前記実施形態における光ピックアップ内のフォトディテクタの分割受光領域を示す図である。
【図３】前記実施形態において光ピックアップ内のＤＶＤ用対物レンズが光ディスクの記録面に対して垂直方向に移動する様子を示す図である。
【図４】図３に示すようにＤＶＤ用対物レンズが光ディスクの記録面に対して垂直方向に移動したときに得られたＤＶＤ用レーザ光の反射光のうちサブビーム反射光の全加算信号の形状を示す波形図である。
【図５】前記実施形態においてＣＤに対するサブビーム反射光の全加算信号とフォーカスエラー信号との関係を示す信号波形図である。
【図６】前記実施形態においてＤＶＤに対するサブビーム反射光の全加算信号とフォーカスエラー信号との関係を示す信号波形図である。
【図７】前記実施形態においてディスク判別の動作を説明するためのフローチャートである。
【符号の説明】
【００４６】
１    光ディスク
３    光ピックアップ
７    信号形状測定ディスク判別部
３１    ＣＤ用レーザ素子
３２    ＤＶＤ用レーザ素子
３３    ＣＤ用対物レンズ
３４    ＤＶＤ用対物レンズ
３６    フォーカス用アクチュエータ
７１    全加算信号形状測定手段
７２    ディスク判別手段
９１    一時停止手段
９２    レンズ強制移動制御手段
【図１】
2005346809.tif 000003
【図２】
2005346809.tif 000004
【図３】
2005346809.tif 000005
【図４】
2005346809.tif 000006
【図５】
2005346809.tif 000007
【図６】
2005346809.tif 000008
【図７】
2005346809.tif 000009